(57)【要約】【課題】本来剥離すべきでない重ね合わせ接着面を剥離していることを気付かせるとともに、各種装置にかけて機械処理をする際に、不用意に剥離されて破断されることがない三つ折り葉書を提供する。【課題の解決手段】三つ折り葉書は、Ｚ字状に重ね合わせてなり、隠蔽情報表示片３，４の表面同士の重ね合わせ接着面は剥離すべき接着面とし、宛名表示片２の裏面と一方の隠蔽情報表示片３の裏面からなる重ね合わせ接着面は剥離すべきでない接着面としてなるもので、剥離すべきでない重ね合わせ接着面には、折り用ミシン５側を除いた三周辺に沿った帯状部分１０を除いて透け防止印刷１１が施され、帯状部分１０のうち剥離開始角部に相当する角部１８に隣接する二辺に沿った帯状部分１０には端縁から垂直に延びる切り込み１６，１７を設けたものである。【選択図】図２
2014188759.tif 000002
【特許請求の範囲】
【請求項１】
宛名情報が表示された宛名表示面と隠蔽情報が表示された二つの隠蔽情報表示面が表面側に位置する宛名表示片と二つの隠蔽情報表示片とが折り部を介して連接されてなる三紙片を、前記宛名表示面が表出し、前記各隠蔽情報表示面が隠蔽されるように前記折り部でＺ字状に折り重ね、隠蔽情報表示面同士の重ね合わせ接着面は剥離すべき接着面とし、宛名表示片の裏面と一方の隠蔽情報表示片の裏面からなる重ね合わせ接着面は剥離すべきでない接着面としてなる三つ折り葉書であって、前記剥離すべきでない重ね合わせ接着面には、折り部側を除いた三周辺のうち少なくとも剥離開始角部に相当する角部に隣接する二辺に沿った帯状部分を除いて透け防止印刷が施され、前記宛名表示片の前記透け防止印刷に対応しない二辺に沿った帯状部分に、端縁から延びる切り込みを設けたことを特徴とする三つ折り葉書。
【請求項２】
前記切り込みは、端縁に対して垂直に延びることを特徴とする請求項１記載の三つ折り葉書。
【発明の詳細な説明】
【技術分野】
【０００１】
本発明は、葉書用シートをＺ字状に折り重ねてなり、一方の重ね合わせ接着面には隠蔽情報を印字し、他方の重ね合わせ接着面には文字情報を印字していない三つ折り葉書に関する。
【背景技術】
【０００２】
この種の三つ折り葉書は、隠蔽情報を印字した重ね合わせ接着面は、隠蔽情報を視認するために剥離が必要な接着面であり、文字情報を印字していない重ね合わせ接着面は、本来剥離が不要で、剥離すべきでない接着面である。そして、隠蔽情報が外部から透けて視認できないように、前記剥離が必要な重ね合わせ接着面の裏面側には地紋印刷などの透け防止印刷を施すのが一般的である。この透け防止印刷を施した面の一方は、剥離すべきでない重ね合わせ接着面を形成しているが、前記透け防止印刷のために接着力が低下し、本来剥離すべきでないこの重ね合わせ接着面が、宛名人である葉書受領者によって誤って、あるいは意識的に、剥離されてしまうという事態を生じることがある。
【０００３】
従来、この剥離すべきでない重ね合わせ接着面を葉書受領者が剥離した場合に、重ね合わせ接着面を構成する一方の紙片が破断されて、剥離すべき重ね合わせ面ではないことを気付かせるとともに、前記破断によってそれ以上剥離できなくするために、前記紙片の端縁から離れた位置に破断のきっかけとなるくさび形などの切り込みを形成することが提案されている（特許文献１）。
【先行技術文献】
【特許文献】
【０００４】
【特許文献１】実開平４−１０９１７９号公報
【発明の概要】
【発明が解決しようとする課題】
【０００５】
しかし、この従来提案された構成では、切り込みが透け防止印刷の部分に対応して形成されているので、三つ折り葉書作成後に、各種検査装置や郵便番号読み取り装置にかけて機械処理する際に、当該切り込みの部分から剥離されて破断しやすく、不良品となりやすいという不都合がある。また、葉書受領者が誤って、あるいは意識的に剥離した場合に、当該切り込みから破断することなく剥離されてしまう場合があり、本来剥離すべきではない重ね合わせ接着面であることを気付かせることができずに、剥離されてしまうという不都合がある。本発明は、これらの不都合を解消した三つ折り葉書を提供することを目的とする。
【課題を解決するための手段】
【０００６】
この目的を達成するため本発明の請求項１に係る三つ折り葉書は、宛名情報が表示された宛名表示面と隠蔽情報が表示された二つの隠蔽情報表示面が表面側に位置する宛名表示片と二つの隠蔽情報表示片とが折り部を介して連接されてなる三紙片を、前記宛名表示面が表出し、前記各隠蔽情報表示面が隠蔽されるように前記折り部でＺ字状に折り重ね、隠蔽情報表示面同士の重ね合わせ接着面は剥離すべき接着面とし、宛名表示片の裏面と一方の隠蔽情報表示片の裏面からなる重ね合わせ接着面は剥離すべきでない接着面としてなる三つ折り葉書であって、前記剥離すべきでない重ね合わせ接着面には、折り部側を除いた三周辺のうち少なくとも剥離開始角部に相当する角部に隣接する二辺に沿った帯状部分を除いて透け防止印刷が施され、前記宛名表示片の前記透け防止印刷に対応しない二辺に沿った帯状部分に、端縁から延びる切り込みを設けたものである。
【０００７】
また、本発明の請求項２に係る三つ折り葉書は、請求項１の構成において、前記切り込みは、端縁に対して垂直に延びるよう形成したものである。この垂直な切り込みは、図４に示すように、５ｍｍ以上の長さであれば、剥離開始角部に相当する角部からの距離には影響されないことが、本発明者らによる実験で確認された。なお、図４における○は重ね合わせ接着面を剥離すると切り込みから紙片が破断した場合を示し、×は切り込みから紙片が破断することなく重ね合わせ接着面が剥離された場合を示すものである。
【発明の効果】
【０００８】
本発明の請求項１に係る三つ折り葉書によれば、剥離すべきでない重ね合わせ接着面の透け防止印刷が存在しない部分に切り込みを設けたので、前記重ね合わせ接着面を剥離しようとすれば確実に切り込みから破断されて、本来剥離すべきでない重ね合わせ接着面であることを気付かせるとともに、各種装置にかけて機械処理をする際に、切り込み部分から不用意に剥離されて破断されることがないという効果を奏する。また、請求項２に係る三つ折り葉書によれば、前記効果はより一層向上したものとなる。
【図面の簡単な説明】
【０００９】
【図１】本発明の好適な実施形態である三つ折り葉書を展開した葉書用シート表面側を示す概略的な平面図。
【図２】同じく裏面側を示す概略的な平面図。
【図３】同じく三つ折り葉書の概略的な斜視図。
【図４】切り込みからの破断の有無を示す実験結果表。
【発明を実施するための形態】
【００１０】
図１に示すように、葉書用シート１は、同一大の宛名表示片２と第１隠蔽情報表示片３と第２隠蔽情報表示片４とを、それぞれ折り部たる折り用ミシン目５，６を介して連接してなる。前記宛名表示片２の表面側が宛名情報７を表示する宛名表示面であり、前記各隠蔽情報表示片３，４の表面側が隠蔽情報８，９を表示する接着後に剥離可能な重ね合わせ接着面である。図示していないがこの重ね合わせ接着面には、接着後に所定以上の力で剥離可能な感圧性接着剤があらかじめ全面的に塗布されている。
【００１１】
また、図２に示すように、宛名表示片２と第１隠蔽情報表示片３との裏面側が接着後に剥離すべきでない重ね合わせ接着面である。図示していないが、この重ね合わせ接着面には、接着後に容易には剥離しない接着力を有する感圧性接着剤があらかじめ全面的に塗布されている。そして、前記剥離すべきでない重ね合わせ接着面には、折り用ミシン目５側を除く各三周辺に沿った約１０ｍｍの帯状部分１０を除いて、前記感圧接着剤上に地紋印刷からなる透け防止印刷１１を施している。第２隠蔽情報表示片４の裏面側には、下部に差出人情報１２が表示されるとともに、この差出人情報１２表示部分を除いて、地紋印刷からなる透け防止印刷１３を施している。
【００１２】
図１及び図２に示すように、第２隠蔽情報表示片４における折り用ミシン目６とは反対側の下端角部は、三角形状に切り欠かれて剥離開始角部１４となっている。図１に示すように、第２隠蔽情報表示片４の折り用ミシン目６側を除く三周辺に沿って、前記剥離開始角部１４からの剥離動作を容易にするために、感圧性接着剤上に細い帯状のベタ印刷部１５を設けている。また、前記宛名表示片２には、前記剥離開始角部１４に相当する角部１８に隣接する二辺に沿った透け防止印刷１１が存在しない帯状部分１０に対応して、前記角部１８からそれぞれ２０ｍｍの位置に、端縁から垂直に延びる長さ５ｍｍの切り込み１６，１７を設けている。
【００１３】
以上のように構成した葉書用シート１から、宛名情報７が表出するように、各折り用ミシン目５，６でＺ字状に三つ折りして各重ね合わせ接着面を圧着し、図３に示す三つ折り葉書２１が作成される。この三つ折り葉書２１は、通常の官製葉書と同様に使用可能である。そして、三つ折り葉書２１を受領した宛名人は、第２隠蔽情報表示片４の剥離開始角部１４端を摘んで、対角上に位置する折り用ミシン目６側の角部に向けてめくり上げ、続いて徐々に前記折り用ミシン目６に向けてめくり上げることにより、第１隠蔽情報表示片３との重ね合わせ接着面を剥離して、この重ね合わせ接着面に表示された隠蔽情報８，９を視認することができる（図１参照）。
【００１４】
一方、宛名人が誤って、あるいは意識的に、本来剥離すべきでない重ね合わせ接着面である宛名表示片２と第１隠蔽情報表示片３との重ね合わせ接着面を剥離するため、前記宛名表示片２の剥離開始角部１４に相当する角部１８を摘んで、対角上に位置する折り用ミシン目５側の角部に向けて無理にめくり上げると、各切り込み１６，１７の少なくとも一方から前記宛名表示片２が破断されてしまう。これによって、宛名人は、本来剥離すべきでない重ね合わせ接着面を剥離したことに気付くものである。
【００１５】
なお、本発明は、上述の実施形態に限定されるものではなく、例えば、切り込み１６，１７は、三つ折り葉書２１の外部から視認できないように、宛名表示片２の重ね合わせ接着面側から設けた宛名情報７を表示する表面側に貫通しないハーフスリットを採用してもよい。この場合は、表面上は切り込み１６，１７が存在しないので、視覚的違和感がないとともに、三つ折り葉書２１の搬送時に切り込み部分からの破断をより一層防ぐことができるという効果を奏する。切り込み１６，１７は、いずれか一方のみでもよく、また、端縁から垂直に延びるものに限らず、斜めに延びるものでもよい。さらに、切り込み１６，１７を設ける位置も角部１８から２０ｍｍに限られず、その長さも５ｍｍに限らない。またさらに、帯状部分１０は、剥離すべきでない重ね合わせ接着面における宛名表示片２の剥離開始角部１４に相当する角部１８に隣接する二辺に沿ってだけ設けてもよい。
【符号の説明】
【００１６】
１      葉書用シート
２      宛名表示片
３      第１隠蔽情報表示片
４      第２隠蔽情報表示片
５，６      折り用ミシン目
７      宛名情報
８，９    隠蔽情報
１０      帯状部分
１１，１３      透け防止印刷
１２      差出人情報
１４      剥離開始角部
１５      ベタ印刷部
１６，１７      切り込み
１８      角部
２１      三つ折り葉書
【図１】
2014188759.tif 000003
【図２】
2014188759.tif 000004
【図３】
2014188759.tif 000005
【図４】
2014188759.tif 000006